(57)【要約】【課題】ディスクの回転時にチャックピンが浮上しないようにして、ディスクの離脱を防止することができ、ディスクのロード時にチャックピンを下方に容易に傾けることができる、チャックピン及びこれを含むディスクチャッキング装置を提供する。【解決手段】本発明によるチャックピンは、ディスクの内周縁を押圧してディスクを固定するチャックピンであって、ディスクを押圧する突起部と、一端部が突起部に結合され、突起部の上面に圧力が加えられると他端部を支持点として一端部が回動するように、下面に傾斜部が形成されたボディ部とを含むことを特徴とする。【選択図】図２
2010140590.tif 000002
【特許請求の範囲】
【請求項１】
ディスクの内周縁を押圧して前記ディスクを固定するチャックピンであって、
前記ディスクを押圧する突起部と、
一端部が前記突起部に結合され、前記突起部の上面に圧力が加えられると、他端部を支持点として前記一端部が回動するように、下面に傾斜部が形成されたボディ部と、を含むチャックピン。
【請求項２】
前記傾斜部が、
前記一端部から前記他端部に向かって下降傾斜するように形成されることを特徴とする請求項１に記載のチャックピン。
【請求項３】
前記傾斜部が、曲面を含むことを特徴とする請求項１または２に記載のチャックピン。
【請求項４】
ディスクを着脱可能に、モータのロータに結合させる装置であって、
前記ロータと結合するボスが形成されているハウジングと、
前記ハウジングの外部に突出するように前記ハウジングに挿入され、前記ディスクを押圧する突起部と、一端部が前記突起部に結合され、前記突起部の上面に圧力が加えられると他端部を支持点として前記一端部が回動するように下面に傾斜部が形成されたボディ部とを含むチャックピンと、
前記チャックピンを前記ハウジングの外側に対して弾性的に支持するように、前記チャックピンと前記ハウジングのボスとの間に設置された弾性部材と、
を含むディスクチャッキング装置。
【請求項５】
前記傾斜部が、
前記一端部から前記他端部に向かって下降傾斜するように形成されることを特徴とする請求項４に記載のディスクチャッキング装置。
【請求項６】
前記ハウジングには前記チャックピンの運動をガイドするガイド部が形成され、
前記ガイド部の上下幅は前記ボディ部の他端部の厚さに対応して形成されることを特徴とする請求項４または５に記載のディスクチャッキング装置。
【発明の詳細な説明】
【技術分野】
【０００１】
本発明はチャックピン及びこれを含むディスクチャッキング装置に関する。
【背景技術】
【０００２】
通常、ディスク駆動装置はディスクをロードまたはアンロードするディスクチャッキング装置を備える。
【０００３】
図１は、従来技術によるディスクチャッキング装置を示す断面図である。通常、ディスクチャッキング装置はディスクの内周縁にハウジングが挿入され、チャックピンがハウジングから突出するように形成される。そして、チャックピンとハウジングのボスとの間にバネが組み込まれており、チャックピンの往復運動によりディスクの内周縁を押圧するように構成される。
【０００４】
このようなディスクチャッキング装置においては、ディスクをロードするときに、チャックピンの上面にディスクから圧力が加えられる。これにより、チャックピンが下方へ傾きながら後退してディスクがロードできるようになる。よって、チャックピンを傾けることができるように、チャックピンと支持面またはハウジングとの間に所定の間隔が形成される。
【０００５】
しかし、このような間隔はディスクの回転の際、チャックピンの浮上を引き起こすことがあった。ディスクの回転により浮力が発生すると、チャックピンが上方に押し上げられるが、これはチャックピンと支持面／ハウジングとの間に存在する間隔によりチャックピンが上方に浮上するからである。これにより、ディスクをつかむディスクチャッキング装置の着脱力が低下してディスクが離脱することがあった。
【発明の概要】
【発明が解決しようとする課題】
【０００６】
こうした従来技術の問題点に鑑み、本発明は、チャックピンの浮上を防止できるチャックピン及びこれを含むディスクチャッキング装置を提供することを目的とする。
【課題を解決するための手段】
【０００７】
本発明の一実施形態によれば、ディスクの内周縁を押圧してディスクを固定するチャックピンであって、ディスクを押圧する突起部と、一端部が突起部に結合され、突起部の上面に圧力が加えられると、他端部を支持点として一端部が回動するように、下面に傾斜部が形成されたボディ部と、を含むチャックピンが提供される。
【０００８】
ここで、傾斜部は、一端部から他端部に向かって下降傾斜するように形成されることができる。
【０００９】
また、傾斜部は曲面を含んで形成されてもよい。
【００１０】
また、本発明の他の実施形態によれば、ディスクを着脱可能に、モータのロータに結合させる装置であって、ロータと結合するボスが形成されているハウジングと、ハウジングの外部に突出するようにハウジングに挿入され、ディスクを押圧する突起部及び、一端部が突起部に結合され、突起部の上面に圧力が加えられると他端部を支持点として一端部が回動するように、下面に傾斜部が形成されたボディ部を備えたチャックピンと、チャックピンをハウジングの外側に対して弾性的に支持するように、チャックピンとハウジングのボスとの間に設置された弾性部材と、を含むディスクチャッキング装置が提供される。
【００１１】
ここで、傾斜部は一端部から他端部に向かって下降傾斜するように形成されることができる。
【００１２】
また、ハウジングにはチャックピンの運動をガイドするガイド部が形成され、ガイド部の上下幅はボディ部の他端部の厚さに対応して形成されることができる。
【発明の効果】
【００１３】
本発明の実施形態によれば、ディスクの回転時にチャックピンが浮上することがないため、ディスクの離脱を防止することができる。また、ディスクのロード時にチャックピンを下方に容易に傾けることができる。
【００１４】
なお、上記の発明の概要は、本発明の必要な特徴の全てを列挙したものではない。また、これらの特徴群のサブコンビネーションもまた、発明となりうる。
【図面の簡単な説明】
【００１５】
【図１】従来技術によるディスクチャッキング装置を示す断面図である。
【図２】本発明の一実施例によるディスクチャッキング装置を示す平面図である。
【図３】本発明の一実施例によるディスクチャッキング装置のＡ部分の断面図である。
【図４】本発明の一実施例によるチャックピンを示す断面図である。
【図５】本発明の一実施例によるディスクチャッキング装置の動作を示す断面図である。
【発明を実施するための形態】
【００１６】
本発明は多様な変換を加えることができ、様々な実施例を有することができるため、本願では特定実施例を図面に例示し、詳細に説明する。しかし、これは本発明を特定の実施形態に限定するものではなく、本発明の思想及び技術範囲に含まれるあらゆる変換、均等物及び代替物を含むものとして理解されるべきである。本発明を説明するに当たって、係る公知技術に対する具体的な説明が本発明の要旨をかえって不明にすると判断される場合、その詳細な説明を省略する。
【００１７】
本願で用いた用語は、ただ特定の実施例を説明するために用いたものであって、本発明を限定するものではない。単数の表現は、文の中で明らかに表現しない限り、複数の表現を含む。本願において、「含む」または「有する」などの用語は明細書上に記載された特徴、数字、段階、動作、構成要素、部品、またはこれらを組合せたものの存在を指定するものであって、一つまたはそれ以上の他の特徴や数字、段階、動作、構成要素、部品、またはこれらを組合せたものの存在または付加可能性を予め排除するものではないと理解しなくてはならない。
【００１８】
以下、本発明によるチャックピン及びこれを含むディスクチャッキング装置の好ましい実施例を添付図面を参照して詳細に説明し、本発明を説明するに当たって、同一または対応の構成要素には同一の図面符号を付し、これに対する重複説明は省略する。
【００１９】
図２は本発明の一実施例によるディスクチャッキング装置を示す平面図であり、図３は本発明の一実施例によるディスクチャッキング装置のＡ部分を示す断面図であり、図４は本発明の一実施例によるチャックピンを示す断面図であり、図５は本発明の一実施例によるディスクチャッキング装置の動作を示す断面図である。
【００２０】
図２から図５を参照すると、チャックピン１０、突起部１２、ボディ部１４、傾斜部１５、弾性部材２０、ハウジング３０、及びガイド部３５が示されている。
【００２１】
本発明の一実施例によるチャックピン１０は、ディスク４０の内周縁を押圧してディスク４０を固定するチャックピン１０であって、ディスク４０を押圧する突起部１２と、一端部が突起部１２に結合され、突起部１２の上面に圧力が加えられると他端部を支持点として一端部が回動するように下面に傾斜部１５が形成されたボディ部１４とを含み、ディスク４０がロードされると、チャックピン１０を下方に容易に傾けることができる。
【００２２】
突起部１２はロードされたディスク４０を固定する目的でディスク４０の内周縁を押圧する役割をする。図２から図４を参照すると、突起部１２はディスク４０の中央孔に挿入されるハウジング３０から突出する。また、ロードされたディスク４０を突起部１２の下にセットするために、突起部１２の下部にはハウジング３０側に向かってスロープ１３が形成される。
【００２３】
ボディ部１４は、突起部１２がディスク４０を押圧できるように突起部１２を支持しながら突起部１２に押圧力を伝達する。また、ディスク４０のロードができるように、ハウジング３０の内部で往復運動する部分である。図３及び図４を参照すると、ボディ部１４の一端部は突起部１２に結合され、他端部は弾性部材２０により支持される。
【００２４】
さらに、図５を参照すると、ディスク４０のロード時に突起部１２の上面に圧力が加えられると、他端部を支持点として一端部が回動するように下面に傾斜部１５が形成される。これにより、ディスク４０のロード時にチャックピン１０が容易に傾くことができる。
【００２５】
図４を参照すると、傾斜部１５はボディの一端部から他端部に向かって下降傾斜するように形成可能である。特に、傾斜部１５に曲面が含まれていて、より容易に傾くことができる。
【００２６】
しかし、傾斜部１５の形態がこれに限定されるものではなく、チャックピン１０が傾くとき、チャックピン１０の後方（他端部）が支持面に対してチャックピン１０の支持点となり、前方（一端部）は支持面との間に間隔を有する全ての形態を含む。
【００２７】
一方、本発明の一実施例によるディスクチャッキング装置は、ディスク４０を着脱可能に、モータのロータと結合させる装置であって、ロータと結合するボスが形成されているハウジング３０と、ハウジング３０の外部に突出するようにハウジング３０に挿入され、ディスク４０を押圧する上述した形状を有するチャックピン１０と、チャックピン１０をハウジング３０の外側に対して弾性的に支持するように、チャックピン１０とハウジング３０のボスとの間に設置された弾性部材２０とを含み、ディスク４０の回転時にチャックピン１０を浮上しないようにしてディスク４０の離脱を防止し、ディスク４０のロード時にチャックピン１０を下方に容易に傾けることができる。
【００２８】
図２を参照すると、ハウジング３０には、ディスク４０の中央孔に挿入されるように中央孔に対応して外周縁が形成される。また、チャックピン１０が挿入されるように、外周縁に沿って複数のホールが形成される。また、ロータと結合して回転するために、中央にロータと結合するボスが形成される。
【００２９】
チャックピン１０は、上述したように、傾斜部１５が形成された下面を有する。また、ディスク４０を押圧するために、ハウジング３０の外周縁に形成されたホールに挿入されてハウジング３０から突出する。
【００３０】
弾性部材２０は弾性を有するものであって、ディスク４０を押圧する弾性力をチャックピン１０に伝達するために、チャックピン１０をハウジング３０の外側に対して弾性的に支持する。このために、チャックピン１０とハウジング３０との間に設置される。本実施例では弾性部材２０としてバネを用いる。
【００３１】
図５を参照すると、本実施例によるディスクチャッキング装置は、チャックピン１０の下面に形成された傾斜のため、ディスク４０のロード時にチャックピン１０が容易に傾くことになり、ディスク４０を容易にロードすることができる。
【００３２】
一方、ハウジング３０の内部でチャックピン１０の往復運動をガイドするガイド部３５がハウジング３０に形成され、ガイド部３５の上下幅ｈが、チャックピン１０のボディ部１４の他端部の厚さに対応して形成されてチャックピン１０の浮上を防止することができる。
【００３３】
従来技術によるディスクチャッキング装置においては、チャックピン１０を傾けるために、チャックピン１０とハウジング３０または支持面との間に所定の間隔を形成したので、ディスク４０が浮上することが発生した。
【００３４】
本実施例によるディスクチャッキング装置では、このような間隔を最小化することができる。本実施例によるチャックピン１０は傾斜部１５を具備しているため、チャックピン１０を傾けるための間隔があまり必要ではないからである。すなわち、ガイド部３５の上下幅ｈは、チャックピン１０のボディ部１４の他端部がガイド部３５に沿って移動できる程度の幅であればよい。したがって、チャックピン１０とハウジング３０または支持面との間の間隔は最小となる。これにより、ディスク４０に浮力が発生されてチャックピン１０を上方に押し上げても、チャックピン１０が上方に押し上げられる間隔が殆どないため、チャックピン１０が浮上することはない。したがって、ディスク４０の回転時にディスク４０が離脱することを防止することができる。
【００３５】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００３６】
特許請求の範囲、明細書、および図面中において示した装置における動作、手順、ステップ、および工程等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「先ず、」、「次に、」等を用いて説明したとしても、この順で実施することが必須であることを意味するものではない。
【符号の説明】
【００３７】
１０  チャックピン
１２  突起部
１４  ボディ部
１５  傾斜部
２０  弾性部材
３０  ハウジング
３５  ガイド部
４０  ディスク
【図１】
2010140590.tif 000003
【図２】
2010140590.tif 000004
【図３】
2010140590.tif 000005
【図４】
2010140590.tif 000006
【図５】
2010140590.tif 000007